(57)【要約】【課題】電源電圧供給回路用の起動回路を不要とする電源装置を提供することにある。【解決手段】交流電圧を直流電圧に変換する整流平滑回路１１と、この整流平滑回路１１から出力される直流電圧を所定の直流電圧に昇圧するアクティブフィルタ２０と、このアクティブフィルタ２０から出力される昇圧直流電圧を高周波電圧に変換して放電灯１２に印加させるインバータ３０と、外部の調光信号に基づいてインバータ３０を制御する制御回路５０と、この制御回路５０に電源電圧を供給する電源電圧供給回路６０とを備え、この電源電圧供給回路６０は、アクティブフィルタ２０から電源電圧用の電圧を受けて動作する電源装置であって、電源投入時に、アクティブフィルタ２０を動作させた後に、制御回路５０を動作させる。【選択図】  図１
2011135721.tif 000002
【特許請求の範囲】
【請求項１】
交流電圧を直流電圧に変換する整流平滑回路と、この整流平滑回路から出力される直流電圧を所定の直流電圧に昇圧するアクティブフィルタと、このアクティブフィルタから出力される昇圧直流電圧を高周波電圧に変換して負荷に印加させるインバータと、外部信号に基づいて前記インバータを制御する制御回路と、この制御回路に電源電圧を供給する電源電圧供給回路とを備え、この電源電圧供給回路は、前記アクティブフィルタから電源電圧用の電圧を受けて動作する電源装置であって、
電源投入時に、前記アクティブフィルタを動作させた後に、前記制御回路を動作させることを特徴とする電源装置。
【請求項２】
前記負荷は放電灯であり、外部信号は調光信号であり、
前記放電灯の異常を検出する異常検出回路と、
前記アクティブフィルタに入力する電圧が所定電圧以下であるかを検出する低電圧検出回路とを備え、
前記制御回路は、前記異常検出回路が異常を検出したとき、または低電圧検出回路が低電圧を検出したとき前記インバータの発振を停止させる請求項１に記載の電源装置であって、
前記制御回路は、前記調光信号により前記放電灯を全光から調光へ移行するとき、前記アクティブフィルタの昇圧電圧を全光から調光へ移行させる際の移行時間を長くしたことを特徴とする電源装置。
【発明の詳細な説明】
【技術分野】
【０００１】
この発明は、直流電圧を昇圧するアクティブフィルタなどを備えた電源装置に関する。
【背景技術】
【０００２】
従来から、直流電圧を低周波電力に変換するインバータなどを備えた放電灯点灯装置（電源装置）が知られている（特許文献１参照）。
【０００３】
かかる放電灯点灯装置は、交流電圧を昇圧して直流電圧に変換するアクティブフィルタと、放電灯に流れる電流を制御する限流回路と、アクティブフィルタからの直流電圧を低周波電力に変換するインバータと、放電灯に始動パルスを印加する始動パルス発生回路と、始動パルス発生回路などを制御する制御回路などとを備えている。
【０００４】
また、図２に示す放電灯点灯装置が提案されており、この放電灯点灯装置は、交流電圧を直流電圧に変換する整流平滑回路１と、この整流平滑回路１から出力される直流電圧を所定の直流電圧に昇圧するアクティブフィルタ２と、このアクティブフィルタ２から出力される昇圧直流電圧を高周波電圧に変換して負荷に印加させるインバータ３と、外部からの調光信号に基づいてインバータ３を制御する制御回路４と、この制御回路４に電源電圧を供給する電源電圧供給回路５と、電源電圧供給回路５を起動させる起動回路６などとを備えている。
【０００５】
この放電灯点灯装置は、電源が投入されると、起動回路６の抵抗Ｒ１を介してコンデンサＣ１が充電され、コンデンサＣ１が所定電圧になるとトランジスタＴｒ１がオンして起動抵抗Ｒ２に電流が流れ、コンデンサＣ２が充電されていく。そして、トランジスタＴｒ２とツェナーダイオードＺｎ３のドロッパ回路により所定電圧を生成し、この所定電圧が制御回路４に供給されて制御回路４が起動する。
【０００６】
制御回路４は、起動されるとアクティブフィルタ２のアクティブフィルタＩＣに掛けてある動作禁止を解除し、これによりアクティブフィルタＩＣが動作を開始する。アクティブフィルタＩＣの動作により、スイッチ素子Ｑ１がオン・オフされてトランスＴの二次コイルＴａに電圧が発生し、この電圧がダイオードＤ１,抵抗Ｒ５,ダイオードＤ２を介してドロッパ回路のトランジスタＴｒ２のコレクタに供給される。
【０００７】
また、制御回路４は、アクティブフィルタＩＣの動作開始後に起動回路６のトランジスタＴｒ３をオンさせてツェナーダイオードＺｎ２を導通させる。これにより、トランジスタＴｒ１のゲートの電圧がコンデンサＣ２に供給される電圧より低い電圧となり、トランジスタＴｒ１がオフし、起動抵抗Ｒ２が電源電圧供給回路５から切り離さられる。
【０００８】
このため、アクティブフィルタＩＣの起動後は、起動抵抗Ｒ２を介さずにトランスＴの二次コイルＴａから電圧が電源電圧供給回路５へ供給されることとなり、制御回路４の起動後は起動抵抗Ｒ２による損失の防止が図られている。
【先行技術文献】
【特許文献】
【０００９】
【特許文献１】特開平１１−７４０９２号公報
【発明の概要】
【発明が解決しようとする課題】
【００１０】
しかしながら、このような放電灯点灯装置にあっては、起動回路６を設けなければならないのでその装置の回路が複雑になってしまうという問題がある。
【００１１】
この発明の目的は、電源電圧供給回路用の起動回路を不要とする電源装置を提供することにある。
【課題を解決するための手段】
【００１２】
請求項１の発明は、交流電圧を直流電圧に変換する整流平滑回路と、この整流平滑回路から出力される直流電圧を所定の直流電圧に昇圧するアクティブフィルタと、このアクティブフィルタから出力される昇圧直流電圧を高周波電圧に変換して負荷に印加させるインバータと、外部信号に基づいて前記インバータを制御する制御回路と、この制御回路に電源電圧を供給する電源電圧供給回路とを備え、この電源電圧供給回路は、前記アクティブフィルタから電源電圧用の電圧を受けて動作する電源装置であって、
電源投入時に、前記アクティブフィルタを動作させた後に、前記制御回路を動作させることを特徴とする。
【発明の効果】
【００１３】
この発明によれば、起動回路が不要となるので、回路の簡素化を図ることができる。
【図面の簡単な説明】
【００１４】
【図１】この発明に係る電源装置の構成を示した回路図である。
【図２】従来の放電灯点灯装置の構成を示した回路図である。
【発明を実施するための最良の形態】
【００１５】
以下、この発明に係る電源装置の実施の形態である実施例を図面に基づいて説明する。
【実施例】
【００１６】
図１は電源装置の一つである放電灯点灯装置１０を示す。この放電灯点灯装置１０は、交流電圧を直流電圧に変換する整流平滑回路１１と、この整流平滑回路１１から出力される直流電圧を所定の直流電圧に昇圧するアクティブフィルタ２０と、このアクティブフィルタ２０から出力される昇圧直流電圧を高周波電圧に変換して放電灯（負荷）１２に印加させるインバータ３０と、外部からの調光信号（外部信号）を検知する調光回路４０と、この調光回路４０が検出した調光信号などに基づいて、調光信号がない場合は全光点灯するようインバータ３０を制御する制御回路５０と、この制御回路５０に電源電圧を供給する電源電圧供給回路６０と、整流平滑回路１１から出力される直流電圧が所定電圧以下に下がったことを検出する低電圧検出回路７０と、放電灯１２の過電圧や負荷電流（複数の放電灯１２の電流）のアンバランスを検出する異常検出回路８０とを備えている。
【００１７】
アクティブフィルタ２０は、トランス２１とアクティブフィルタＩＣ２２とスイッチ素子２３等とを有する。アクティブフィルタＩＣ２２は、起動抵抗Ｒａを介して整流平滑回路１１から直流電圧の供給を受けると起動して動作を開始し、スイッチ素子２３をオン・オフさせる。
【００１８】
トランス２１の二次コイル２１ａの一端にはダイオード２４のアノードとダイオード２６のアノードとが接続され、ダイオード２４のカソードには抵抗２５の一端が接続されている。抵抗２５の他端はアクティブフィルタＩＣ２２の電源端子（図示せず）に接続され、この電源端子には起動抵抗Ｒａが接続されている。
【００１９】
電源電圧供給回路６０は、トランジスタ６１とツェナーダイオード６２と抵抗６３等とを有し、このトランジスタ６１とツェナーダイオード６２と抵抗６３とでドロッパ回路が形成されている。
【００２０】
トランジスタ６１のベースにはツェナーダイオード６２のカソードが接続され、トランジスタ６１のベースとコレクタとの間に抵抗６３が接続されている。また、ツェナーダイオード６２のアノードとトランジスタ６１のコレクタとの間にコンデンサ６４が接続され、トランジスタ６１のコレクタがアクティブフィルタ２０のダイオード２６のカソードに接続されている。トランジスタ６１のエミッタとツェナーダイオード６２のアノードとの間にはコンデンサ６５が接続されている。
【００２１】
また、トランジスタ６１のエミッタは制御回路５０の制御用ＩＣの電源端子（図示せず）に接続されており、トランジスタ６１から電源電圧が制御用ＩＣに供給されるようになっている。
【００２２】
制御回路５０は、ＣＰＵなどの制御用ＩＣを有し、低電圧検出回路７０が低電圧を検出したときや異常検出回路８０が放電灯１２の過電圧やアンバランスなどを検出したときインバータ３０の発振を停止させたり、調光回路４０が検出する調光信号に基づいてインバータ３０の発振周波数の制御やアクティブフィルタＩＣ２２の昇圧直流電圧の制御を行ったりする。
【００２３】
また、制御回路５０は、アクティブフィルタ２０に動作を禁止するための禁止を掛けないように設定されている。
［動  作］
次に、上記のように構成される放電灯点灯装置１０の動作について説明する。
【００２４】
電源が投入されると、整流平滑回路１１から出力される直流電圧が起動抵抗Ｒａを介してアクティブフィルタ２０のアクティブフィルタＩＣ２２の電源端子に供給される。アクティブフィルタＩＣ２２は、制御用ＩＣによって動作を禁止する禁止が掛けられていないことにより、電源端子に直流電圧が供給されると起動し、スイッチ素子２３をオン・オフさせていく。
【００２５】
このスイッチ素子２３のオン・オフ動作により、トランス２１の二次コイル２１ａに電圧が発生し、この電圧によりダイオード２６を介してトランジスタ６１がオンする。
【００２６】
トランジスタ６１がオンすると、このトランジスタ６１およびツェナーダイオード６２等からなるドロッパ回路により、トランス２１の二次コイル２１ａで発生した電圧が一定の電圧（例えば５Ｖ）となって制御回路５０の制御用ＩＣの電源端子に供給される。
【００２７】
そして、トランス２１の二次コイル２１ａで発生した電圧が上昇して、ツェナーダイオード６２のツェナー電圧（所定電圧）より高くなるとトランジスタ６１がオフし、制御回路５０の制御用ＩＣの電源端子への電圧の供給が停止される。
【００２８】
これら動作が繰り返し行われることにより、電源電圧供給回路６０から一定電圧が制御回路５０の制御用ＩＣの電源端子に供給されることになる。
【００２９】
これにより制御用ＩＣは起動して全光点灯するようにインバータ３０を制御したり、調光回路４０が検出する調光信号に基づいてインバータ３０を制御していく。
【００３０】
このように、アクティブフィルタ２０が起動した後に、電源電圧供給回路６０はトランス２１の二次コイル２１ａに発生する電圧によって起動されて動作していくので、従来のように起動回路は不要となり、このため放電灯点灯装置１０の回路の構成が簡素化され、小型化を図ることができるとともに安価な放電灯点灯装置１０を提供することができる。
【００３１】
ところで、スイッチ素子２３がオン・オフ動作すると、トランス２１の一次コイル２１ｂに流れる電流が断続され、この断続によって一次コイル２１ｂに高電圧が発生し、この高電圧がダイオードＤ２０を介して電解コンデンサＣ２０に充電され、この電解コンデンサＣ２０の高電圧がインバータ３０に供給されることになる。そして、インバータ３０がその高電圧を所定の高周波電圧に変換して放電灯１２に印加し、これにより放電灯１２が点灯する。
【００３２】
放電灯１２が全光から調光へ移行する場合、つまり、調光回路４０が調光信号（暗光信号）を検出したとき、制御回路５０はインバータ３０の発振周波数を放電灯１２の発光を暗くする周波数に制御するとともに、アクティブフィルタＩＣ２２を制御して、スイッチ素子２３のオン・オフ動作の繰り返し周期を長くし、これによりインバータ３０に入力する直流電圧（電解コンデンサＣ２０の充電電圧）を低圧に移行させる。
【００３３】
この際、スイッチ素子２３のオン・オフ動作の繰り返し周期を除々に長くしていき、低圧側へ徐々に移行させていく。この移行時間を長くすることにより、インバータ３０の発振停止期間が発生しないようにしている。
【００３４】
これは、スイッチ素子２３のオン・オフ動作の繰り返し周期を急に長くしてしまうと、アクティブフィルタＩＣ２２へ昇圧電流電圧を下げるよう制御用ＩＣから制御がかかったとき、電解コンデンサＣ２０に蓄えられた電圧が一気に下がることができないため、アクティブフィルタＩＣ２２の過電圧保護が動作し、この動作により発振停止期間が起きるからである。
【００３５】
上記実施例では、この発明を放電灯点灯装置に適用した場合について説明したが、他の電源装置に適用することもできる。
【００３６】
また、この発明は、上記実施例に限られるものではなく、特許請求の範囲の発明の要旨を逸脱しない限り、設計の変更や追加等は許容される。
【符号の説明】
【００３７】
１０          放電灯点灯装置（電源装置）
１１          整流平滑回路
１２          放電灯（負荷）
２０          アクティブフィルタ
３０          インバータ
５０          制御回路
６０          電源電圧供給回路
【図１】
2011135721.tif 000003
【図２】
2011135721.tif 000004